(57)【要約】  【課題】  複数の人が出入りする場において適切な情報を提供する、例えば、展示会場等の共有エリアにおいて、相互の対話を目的とした情報を提示することのできる情報提供装置および方法並びにプログラムを提供する。  【解決手段】  提供可能な複数の情報を対象情報管理部３で管理し、集合情報取得部２が共有エリアである所定の場におけるユーザの存在を示す集合情報を取得し、共有情報作成部５が、集合情報取得部２が取得した集合情報から判定されるユーザの存在に変化がある毎に、存在するユーザに応じた情報を対象情報管理部３から選択し、その選択した情報の提供順序を決定し、共有情報提供部６がその情報を提供する。【選択図】        図１
2005056313.tif 000002
【特許請求の範囲】
【請求項１】
被提供者に応じた情報を情報群から選択して提供する情報提供装置において、
提供可能な複数の情報を保持する提供情報保持手段と、
所定の場における被提供者の存在を判定する存在判定手段と、
前記存在判定手段が判定した被提供者の存在が変化する毎に、前記提供情報保持手段が保持する情報から提供する情報を選択し、該選択した情報の提供順序を決定する提供情報作成手段と
を具備することを特徴とする情報提供装置。
【請求項２】
被提供者のそれぞれに対応する個人情報を管理する個人情報管理手段をさらに具備し、
前記提供情報作成手段は、
前記存在判定手段が存在すると判定した被提供者の個人情報を前記個人情報管理手段から取得し、該取得した個人情報に基づいて、前記提供情報保持手段が保持する情報から提供する情報を選択する
ことを特徴とする請求項１記載の情報提供装置。
【請求項３】
前記提供情報作成手段は、
前記存在判定手段が新たに存在を判定した被提供者に基づいて選択した情報の提供順を最後に決定することを特徴とする請求項１記載の情報提供装置。
【請求項４】
前記提供情報作成手段は、
前記提供情報保持手段が保持する情報から選択した情報を繰り返して提供するように該情報の提供順序を決定し、前記存在判定手段が新たに存在を判定した被提供者に基づいて選択した情報の提供順を現に提供している情報を最前とした場合の最後に決定することを特徴とする請求項１記載の情報提供装置。
【請求項５】
前記存在判定手段は、
被提供者が所持する機器が発信する識別情報を受信する識別情報受信手段と、
前記識別情報受信手段が受信した識別情報と前記被提供者とを対応付けた対応情報を保持する対応情報保持手段と
を具備することを特徴とする請求項１記載の情報提供装置。
【請求項６】
予め指定した複数の訪問場所のそれぞれに対する被提供者の訪問歴を行動情報として管理する行動情報管理手段をさらに具備し、
前記提供情報作成手段は、
前記存在判定手段が存在すると判定した被提供者の行動情報を前記行動情報管理手段から取得し、該取得した行動情報に基づいて、前記提供情報保持手段が保持する情報から提供する情報を選択する
ことを特徴とする請求項１記載の情報提供装置。
【請求項７】
前記行動情報管理手段は、
前記訪問場所のそれぞれに配設され、被提供者が所持する機器が発信する識別情報を受信する識別情報受信手段と、
前記識別情報受信手段が受信した識別情報と前記被提供者とを対応付けた対応情報を保持する対応情報保持手段と
を具備することを特徴とする請求項６記載の情報提供装置。
【請求項８】
被提供者に応じた情報を情報群から選択して提供する情報提供方法において、
所定の場における被提供者の存在を判定し、該判定した被提供者の存在が変化する毎に、提供可能な複数の情報から提供する情報を選択し、該選択した情報の提供順序を決定することを特徴とする情報提供方法。
【請求項９】
被提供者のそれぞれに対応する個人情報を管理し、前記場に存在すると判定された被提供者の個人情報に基づいて、前記提供する情報を選択することを特徴とする請求項８記載の情報提供方法。
【請求項１０】
前記場における存在が新たに判定された被提供者に基づいて選択した情報の提供順を最後に決定することを特徴とする請求項８記載の情報提供方法。
【請求項１１】
前記選択した情報を繰り返して提供するように該情報の提供順序を決定するとともに、前記場における存在が新たに判定された被提供者に基づいて選択した情報の提供順を現に提供している情報を最前とした場合の最後に決定することを特徴とする請求項８記載の情報提供方法。
【請求項１２】
前記場における被提供者の存在の判定は、
被提供者が所持する機器が発信する識別情報を受信し、該受信した識別情報と前記被提供者とを対応付けた対応情報を参照することで行うことを特徴とする請求項８記載の情報提供方法。
【請求項１３】
予め指定した複数の訪問場所のそれぞれに対する被提供者の訪問歴を行動情報として管理し、前記場に存在すると判定された被提供者の行動情報に基づいて、前記提供する情報を選択することを特徴とする請求項８記載の情報提供方法。
【請求項１４】
前記行動情報は、
前記訪問場所のそれぞれで、被提供者が所持する機器が発信する識別情報を受信し、該受信した識別情報と前記被提供者とを対応付けた対応情報を参照することで取得することを特徴とする請求項１３記載の情報提供方法。
【請求項１５】
コンピュータに、被提供者に応じた情報を情報群から選択して提供させる情報提供プログラムにおいて、
提供可能な複数の情報を保持する提供情報保持処理と、
所定の場における被提供者の存在を判定する存在判定処理と、
前記存在判定手段が判定した被提供者の存在が変化する毎に、前記提供情報保持手段が保持する情報から提供する情報を選択し、該選択した情報の提供順序を決定する提供情報作成処理と
をコンピュータに実行させることを特徴とする情報提供プログラム。
【請求項１６】
被提供者のそれぞれに対応する個人情報を管理する個人情報管理処理をさらにコンピュータに実行させ、
前記提供情報作成処理は、
前記存在判定処理により存在すると判定した被提供者の個人情報を前記個人情報管理処理によって保持された個人情報から取得し、該取得した個人情報に基づいて、前記提供情報保持により保持される情報から提供する情報を選択する
ことを特徴とする請求項１５記載の情報提供プログラム。
【請求項１７】
前記提供情報作成処理は、
前記存在判定処理により新たに存在が判定された被提供者に基づいて選択した情報の提供順を最後に決定することを特徴とする請求項１５記載の情報提供プログラム。
【請求項１８】
前記提供情報作成処理は、
前記提供情報保持手段により保持される情報から選択した情報を繰り返して提供するように該情報の提供順序を決定し、前記存在判定手段により新たに存在が判定された被提供者に基づいて選択した情報の提供順を現に提供している情報を最前とした場合の最後に決定することを特徴とする請求項１５記載の情報提供プログラム。
【請求項１９】
前記存在判定処理は、
被提供者が所持する機器が発信する識別情報を受信する識別情報受信手段を制御し、該識別情報受信手段が受信した識別情報と前記被提供者とを対応付けた対応情報を参照して、前記場における被提供者の存在を判定することを特徴とする請求項１５記載の情報提供プログラム。
【請求項２０】
予め指定した複数の訪問場所のそれぞれに対する被提供者の訪問歴を行動情報として管理する行動情報管理処理をさらにコンピュータに実行させ、
前記提供情報作成処理は、
前記存在判定処理により存在すると判定された被提供者の行動情報を前記行動情報管理処理により管理される行動情報から取得し、該取得した行動情報に基づいて、前記提供情報保持処理により保持される情報から提供する情報を選択する
ことを特徴とする請求項１５記載の情報提供プログラム。
【請求項２１】
前記行動情報管理処理は、
前記訪問場所のそれぞれに配設され、被提供者が所持する機器が発信する識別情報を受信する識別情報受信手段を制御し、該識別情報受信手段のそれぞれが受信した識別情報と前記被提供者とを対応付けた対応情報を参照して、前記訪問場所のそれぞれに対する被提供者の訪問歴を取得することを特徴とする請求項２０記載の情報提供プログラム。
【発明の詳細な説明】
【技術分野】
【０００１】
本発明は、情報提供装置および方法並びにプログラムに関し、特に、複数の人が出入りする場における適切な情報の提供、例えば、展示会や学会や美術館等の人が大勢集まるイベント会場の共有エリアにおけるユーザ間の対話支援を目的として適切な情報の提供を行う情報提供装置および方法並びにプログラムに関する。
【背景技術】
【０００２】
従来から、展示会や学会など、異なる専門を持った人々が複数人集まるような場所では、偶発的な出会いや対話が思わぬビジネスの発展につながることなどがよくあった。
【０００３】
また、企業組織においても、組織集団における各個人の異質性の高さが、組織の革新的成果に貢献すると言われている。しかし、異質性が高ければ高いほど、相互の関心領域や目的が異なるため、ビジネスの発展や革新的成果につながるような対話や共同を実現することは非常に難しいものであった。
【０００４】
さらに、人間にとって互いの関心を把握する手段としては、相手の行動履歴の観察（展示会場では見学履歴を観察したりするなど）や対話以外になく、特に展示会等の初めて出会う人が多い場所では、相互の関心をその日のうちに把握することは非常に困難であった。
【０００５】
このため、従来から、個人の特定が可能な発信器と予め指定の場所に設置された受信器とからなるシステムを提供し、受信器の受信場所やユーザの訪問履歴に応じてユーザに適切な情報提供を実施するものや、同等のシステムを利用して、ユーザの個人情報（興味や仕事）や展示の閲覧履歴などを共有エリアのディスプレイで表示したり、電子的なエージェントが、それらの情報を解釈した上で、共有エリアに居る人々の対話を支援するシステムなどが提供されてきた。
【０００６】
このようなユーザの位置情報を利用して適切な情報を提供する技術としては、例えば、ユーザが身につける光信号を発信するバッチ、光信号を受信し適切な情報提供を行うサービス提供手段、バッチ携帯者の行動情報を蓄積し、その情報を利用要求に応じて情報するセンタと、センタから提供される情報に基づいて、バッチ携帯者にサービスを提供するサービス提供装置とから構成されたものがある（例えば、特許文献１参照）。
【０００７】
また、携帯装置を利用し、特定エリア内に設置した複数台の情報通信装置が、自装置の通信エリア内に存在する携帯装置に対して、有益情報の提供を行うもの（例えば、特許文献２参照）や、ユーザの位置と見学履歴を検知するだけでなく、ユーザの興味を推定し、携帯情報端末装置に個人化された情報を提供するもの（例えば、特許文献３参照）が提案されている。
【０００８】
この他にも、会場等で、ユーザ相互の対話を促進する事を目的に、共有エリアに設置する共有ディスプレイにより、その場に居るユーザ同士の行動履歴を可視化し、互いの関心領域の共有を行うものがあり、例えば、携帯端末によりユーザの見学履歴情報を蓄積し、エージェントサロンと呼ばれる共有エリアに設置のディスプレイ上で、共有エリアにエントリーしたユーザの履歴情報を共有化できる形で表示するとともに、ユーザ毎に設定したエージェントを介して、他のユーザとの興味や関心の共通点の把握を支援するものがある（例えば、特許文献４参照）。
【特許文献１】特開平６−３４７４４号公報
【特許文献２】特開平９−１４９４４２号公報
【特許文献３】特開平１１−９６２３０号公報
【特許文献４】特開２００１−１９５４３０号公報
【発明の開示】
【発明が解決しようとする課題】
【０００９】
ところで、共有エリアへ入場するユーザを対象として、ユーザ間の対話促進を目的に、ユーザの履歴情報に基づいてユーザの関心情報を提示する場合は、ユーザ間で共通した関心情報を優先的に提示することが望ましいこととなる。なぜなら、共通関心ではない情報を提示した場合には、関心情報に関する一方向的な情報伝達の次に情報に関連した対話が始まる事が想定されるのに対し、共通の関心情報を提示した場合には、初めから情報に関連した対話を始められる可能性が高いからである。
【００１０】
しかし、従来の技術では、ユーザの入退出の順序を考慮した情報提示は行われていないため、ある対話集団に新たに誰かが参加した場合に、新規に参加するユーザの情報を不適切に反映し、共有ディスプレイ上に共有表示される対話対象情報が変えられていた。そのため、ユーザの入退出毎に、既存の参加ユーザ間の対話対象が変わることとなり、対話のきっかけを阻害してしまうことがあった。
【００１１】
例えば、図２８に示すように、ユーザＢ、ユーザＣ、ユーザＤ、ユーザＥが対話をしている状態（図２８（ａ）参照）から、ユーザＢとユーザＤが対話から抜け（図２８（ｂ）参照）、新たにユーザＡが対話に参加した状態（図２８（ｃ）参照）に変化した場合、従来の技術では、図２８（ｃ）に示した状態で、ユーザＡ、ユーザＣ、ユーザＥのユーザ情報を反映しての情報提示が行われていた。このため、ユーザＣとユーザＥにとっては、提示される情報が突然変化してしまう可能性があった。
【００１２】
こうした事による不具合は、共有エリアでの情報提示装置の構成が、情報提示候補リストを提示しつつ、その中から順番に提示していくような構成である場合に著しい。
【００１３】
そこで、本発明は、複数の人が出入りする場において適切な情報を提供する、例えば、展示会場等の共有エリアにおいて、相互の対話を目的とした情報を提示することのできる情報提供装置および方法並びにプログラムを提供することを目的とする。
【課題を解決するための手段】
【００１４】
上述した目的を達成するため、請求項１の発明は、被提供者に応じた情報を情報群から選択して提供する情報提供装置において、提供可能な複数の情報を保持する提供情報保持手段と、所定の場における被提供者の存在を判定する存在判定手段と、前記存在判定手段が判定した被提供者の存在が変化する毎に、前記提供情報保持手段が保持する情報から提供する情報を選択し、該選択した情報の提供順序を決定する提供情報作成手段とを具備することを特徴とする。
【００１５】
また、請求項２の発明は、請求項１の発明において、被提供者のそれぞれに対応する個人情報を管理する個人情報管理手段をさらに具備し、前記提供情報作成手段は、前記存在判定手段が存在すると判定した被提供者の個人情報を前記個人情報管理手段から取得し、該取得した個人情報に基づいて、前記提供情報保持手段が保持する情報から提供する情報を選択することを特徴とする。
【００１６】
また、請求項３の発明は、請求項１の発明において、前記提供情報作成手段は、前記存在判定手段が新たに存在を判定した被提供者に基づいて選択した情報の提供順を最後に決定することを特徴とする。
【００１７】
また、請求項４の発明は、請求項１の発明において、前記提供情報作成手段は、前記提供情報保持手段が保持する情報から選択した情報を繰り返して提供するように該情報の提供順序を決定し、前記存在判定手段が新たに存在を判定した被提供者に基づいて選択した情報の提供順を現に提供している情報を最前とした場合の最後に決定することを特徴とする。
【００１８】
また、請求項５の発明は、請求項１の発明において、前記存在判定手段は、被提供者が所持する機器が発信する識別情報を受信する識別情報受信手段と、前記識別情報受信手段が受信した識別情報と前記被提供者とを対応付けた対応情報を保持する対応情報保持手段とを具備することを特徴とする。
【００１９】
また、請求項６の発明は、請求項１の発明において、予め指定した複数の訪問場所のそれぞれに対する被提供者の訪問歴を行動情報として管理する行動情報管理手段をさらに具備し、前記提供情報作成手段は、前記存在判定手段が存在すると判定した被提供者の行動情報を前記行動情報管理手段から取得し、該取得した行動情報に基づいて、前記提供情報保持手段が保持する情報から提供する情報を選択することを特徴とする。
【００２０】
また、請求項７の発明は、請求項６の発明において、前記行動情報管理手段は、前記訪問場所のそれぞれに配設され、被提供者が所持する機器が発信する識別情報を受信する識別情報受信手段と、前記識別情報受信手段が受信した識別情報と前記被提供者とを対応付けた対応情報を保持する対応情報保持手段とを具備することを特徴とする。
【００２１】
また、請求項８の発明は、被提供者に応じた情報を情報群から選択して提供する情報提供方法において、所定の場における被提供者の存在を判定し、該判定した被提供者の存在が変化する毎に、提供可能な複数の情報から提供する情報を選択し、該選択した情報の提供順序を決定することを特徴とする。
【００２２】
また、請求項９の発明は、請求項８の発明において、被提供者のそれぞれに対応する個人情報を管理し、前記場に存在すると判定された被提供者の個人情報に基づいて、前記提供する情報を選択することを特徴とする。
【００２３】
また、請求項１０の発明は、請求項８の発明において、前記場における存在が新たに判定された被提供者に基づいて選択した情報の提供順を最後に決定することを特徴とする。
【００２４】
また、請求項１１の発明は、請求項８の発明において、前記選択した情報を繰り返して提供するように該情報の提供順序を決定するとともに、前記場における存在が新たに判定された被提供者に基づいて選択した情報の提供順を現に提供している情報を最前とした場合の最後に決定することを特徴とする。
【００２５】
また、請求項１２の発明は、請求項８の発明において、前記場における被提供者の存在の判定は、被提供者が所持する機器が発信する識別情報を受信し、該受信した識別情報と前記被提供者とを対応付けた対応情報を参照することで行うことを特徴とする。
【００２６】
また、請求項１３の発明は、請求項８の発明において、予め指定した複数の訪問場所のそれぞれに対する被提供者の訪問歴を行動情報として管理し、前記場に存在すると判定された被提供者の行動情報に基づいて、前記提供する情報を選択することを特徴とする。
【００２７】
また、請求項１４の発明は、請求項１３の発明において、前記行動情報は、前記訪問場所のそれぞれで、被提供者が所持する機器が発信する識別情報を受信し、該受信した識別情報と前記被提供者とを対応付けた対応情報を参照することで取得することを特徴とする。
【００２８】
また、請求項１５の発明は、コンピュータに、被提供者に応じた情報を情報群から選択して提供させる情報提供プログラムにおいて、提供可能な複数の情報を保持する提供情報保持処理と、所定の場における被提供者の存在を判定する存在判定処理と、前記存在判定手段が判定した被提供者の存在が変化する毎に、前記提供情報保持手段が保持する情報から提供する情報を選択し、該選択した情報の提供順序を決定する提供情報作成処理とをコンピュータに実行させることを特徴とする。
【００２９】
また、請求項１６の発明は、請求項１５の発明において、被提供者のそれぞれに対応する個人情報を管理する個人情報管理処理をさらにコンピュータに実行させ、前記提供情報作成処理は、前記存在判定処理により存在すると判定した被提供者の個人情報を前記個人情報管理処理によって保持された個人情報から取得し、該取得した個人情報に基づいて、前記提供情報保持により保持される情報から提供する情報を選択することを特徴とする。
【００３０】
また、請求項１７の発明は、請求項１５の発明において、前記提供情報作成処理は、前記存在判定処理により新たに存在が判定された被提供者に基づいて選択した情報の提供順を最後に決定することを特徴とする。
【００３１】
また、請求項１８の発明は、請求項１５の発明において、前記提供情報作成処理は、前記提供情報保持手段により保持される情報から選択した情報を繰り返して提供するように該情報の提供順序を決定し、前記存在判定手段により新たに存在が判定された被提供者に基づいて選択した情報の提供順を現に提供している情報を最前とした場合の最後に決定することを特徴とする。
【００３２】
また、請求項１９の発明は、請求項１５の発明において、前記存在判定処理は、被提供者が所持する機器が発信する識別情報を受信する識別情報受信手段を制御し、該識別情報受信手段が受信した識別情報と前記被提供者とを対応付けた対応情報を参照して、前記場における被提供者の存在を判定することを特徴とする。
【００３３】
また、請求項２０の発明は、請求項１５の発明において、予め指定した複数の訪問場所のそれぞれに対する被提供者の訪問歴を行動情報として管理する行動情報管理処理をさらにコンピュータに実行させ、前記提供情報作成処理は、前記存在判定処理により存在すると判定された被提供者の行動情報を前記行動情報管理処理により管理される行動情報から取得し、該取得した行動情報に基づいて、前記提供情報保持処理により保持される情報から提供する情報を選択することを特徴とする。
【００３４】
また、請求項２１の発明は、請求項２０の発明において、前記行動情報管理処理は、前記訪問場所のそれぞれに配設され、被提供者が所持する機器が発信する識別情報を受信する識別情報受信手段を制御し、該識別情報受信手段のそれぞれが受信した識別情報と前記被提供者とを対応付けた対応情報を参照して、前記訪問場所のそれぞれに対する被提供者の訪問歴を取得することを特徴とする。
【発明の効果】
【００３５】
本発明によれば、所定の場におけるユーザの存在を判定し、判定したユーザの存在が変化する毎に、提供可能な複数の情報から提供する情報を選択し、選択した情報の提供順序を決定するように構成したので、所定の場に存在するユーザに適切に情報を提供することができる。
【００３６】
例えば、本発明を対話支援装置に適用した場合には、ある領域指定される共有エリアに入場する複数のユーザに対して、既に共有エリアに入場して対話しているユーザ間の対話対象情報を不本意に変えることなく適切な順序で対話対象情報を提示するとともに、新たに入場するユーザの対話対象情報をも考慮して対話対象情報を提示することができる。
【００３７】
これにより、既に共有エリアに居るユーザ間の対話空間を、新たなユーザが共有エリアに出入りする度にいちいち壊すことなく、元から生成されている対話空間をベースとして、新たな対話空間を積み上げて行くことが可能となる。
【発明を実施するための最良の形態】
【００３８】
以下、本発明に係る情報提供装置および方法並びにプログラムの一実施の形態について、添付図面を参照して説明する。
【００３９】
図１は、本発明を適用した情報提供装置の基本的な構成を示すブロック図である。同図に示すように、情報提供装置は、個人情報管理部１と集合情報取得部２、対象情報管理部３、履歴情報管理部４、共有情報作成部５、共有情報提供部６を具備して構成される。
【００４０】
個人情報管理部１は、ユーザ（情報の提供を受ける者）の個人情報を管理し、集合情報取得部２は、ユーザの共有エリアへの入場情報を集合情報として取得する。対象情報管理部３は、ユーザの行動に基づく対象情報を管理し、履歴情報管理部４は、ユーザの行動に基づく履歴情報を関する。共通情報作成部５は、共有エリアで提供する共有情報を作成し、共有情報提供部６は、共有情報作成部５が作成した共有情報を提供する。
【００４１】
このような構成により、本発明を適用した情報提供装置は、既に共有エリアに居るユーザ間の対話空間を、新たなユーザが共有エリアに出入りする度にいちいち壊すことなく、元から生成されている対話空間をベースとして、新たな対話空間を積み上げて行くこととなる。
【００４２】
例えば、図２に示すように、ユーザＢ、ユーザＣ、ユーザＤ、ユーザＥが対話をしている状態（図２（ａ）参照）から、ユーザＢとユーザＤが対話から抜け（図２（ｂ）参照）、新たにユーザＡが対話に参加した状態（図２（ｃ）参照）に変化した場合、まず、ユーザＡが持っているユーザＣ、ユーザＥの間との共通の対話対象情報はそのままにし、適切なタイミングで、ユーザＡが持っているユーザＣ、ユーザＥとは異なる対話対象情報をユーザＡ、ユーザＣ、ユーザＥで形成される対話空間に提供する（図２（ｄ）参照）こととなる。
【００４３】
以下に、本発明を適用した情報提供装置の詳細を実施例として説明する。
【実施例１】
【００４４】
実施例１における情報提供装置は、展示会等の会場において、ユーザ（参加者）間の対話の発生を支援するために用いるものである。
【００４５】
図３は、実施例１における情報提供装置の構成を示すブロック図である。同図に示すように、情報提供装置１００は、個人情報管理部１０と入場情報取得部２０、閲覧対象情報管理部３０、行動履歴情報管理部４０、共有情報作成部５０、共有情報提示部６０を具備して構成される。なお、個人情報管理部１０、入場情報取得部２０、閲覧対象情報管理部３０、行動履歴情報管理部４０、共有情報作成部５０、共有情報提示部６０は、それぞれ、図１に示した情報提供装置の個人情報管理部１、集合情報取得部２、対象情報管理部３、履歴情報管理部４、共有情報作成部５、共有情報提供部６に相当するものである。
【００４６】
個人情報管理部１０は、ユーザの個人情報を管理するもので、個人情報編集部１１と個人情報記憶部１２、行動履歴情報記憶部１３を具備して構成される。個人情報編集部１１は、ユーザの個人情報の登録と、ユーザの共有エリアへの入場状態検知を目的としてユーザに付与する付与する発信器の機器識別情報（以下、発信器識別情報と称する）をユーザに割り当てる処理を行う。個人情報記憶部１２は、個人情報編集部１１により登録された個人情報を記憶するもので、行動履歴情報記憶部１３は、ユーザの行動履歴情報を記憶するものである。
【００４７】
入場情報取得部２０は、ユーザの共有エリアへの入場者集合情報を取得するもので、個人識別情報取得部２１を具備して構成される。個人識別情報取得部２１は、共有エリアの入場者リストを、ユーザに付与した発信器識別情報を要素とする集合情報として取得するものである。
【００４８】
閲覧対象情報管理部３０は、行動対象情報としてユーザの閲覧行動の対象情報である閲覧対象情報を管理するもので、閲覧対象情報編集部３１と閲覧対象情報記憶部３２を具備して構成される。
【００４９】
閲覧対象情報編集部３１は、ユーザの閲覧対象の詳細説明情報と閲覧場所に設置する受信器の識別情報（以下、設置機器識別情報と呼ぶ）を対応付けて編集するもので、閲覧対象情報記憶部３２は、閲覧対象情報編集部３で編集された閲覧対象情報を記憶するものである。
【００５０】
行動履歴情報管理部４０は、ユーザの閲覧行動の履歴情報を管理するもので、個人識別情報取得部４１と行動履歴情報処理部４２を具備して構成される。個人識別情報取得部４１は、複数のユーザに付与する発信器識別情報を発信する発信器と、その発信器識別情報を受信する複数の受信器を制御するもので、行動履歴情報処理部４２は、個人識別情報取得部４１により取得された発信器識別情報および設置機器識別情報と、閲覧対象情報記憶部３２に記憶している閲覧情報および個人情報記憶部１２に記憶している個人情報を利用し、当該ユーザの行動履歴情報を生成し、これを行動履歴情報記憶部１３に記憶するものである。
【００５１】
共有情報作成部５０は、共有エリアでの共有情報を作成するもので、共有情報記憶部５１を具備して構成される。共有情報記憶部５１は、個人情報記憶部１２に記憶された個人情報と、閲覧対象情報記憶部３２に記憶された閲覧情報と、入場情報取得部２０により取得された入場者集合情報に基づいて、共有エリアにおける共有情報を作成し、記憶するものである。
【００５２】
共有情報提示部６０は、共有情報作成部５０が作成した共有情報を提示するもので、提示情報制御部６１と共有情報表示部６２を具備して構成される。提示情報制御部６１は、共有情報記憶部５１に記憶された共有情報を提示する提示方法を制御するもので、共有情報表示部６２は、提示情報制御部６１によって制御された共有情報を図示しないディスプレイ等に提示するものである。
【００５３】
なお、情報提供装置１００は、汎用のコンピュータと、これを動作させるプログラムの組み合わせにより構成することもできる。
【００５４】
次に、情報提供装置１００の動作について説明するが、動作の説明に先立って、情報提供装置１００に予め登録する情報についての説明を行う。
【００５５】
図４は、個人情報記憶部１２に記憶される個人情報のデータテーブルの一例を示した図である。同図に示すように、個人情報記憶部１２に記憶される個人情報は、ユーザ識別番号と氏名、職業、使用機器識別情報を組にしたものである。
【００５６】
ユーザ識別番号は、データ管理上で利用する識別番号であり、情報提供装置１００が取り扱う範囲内で重複のないユニークなものである。氏名および職業は、文字列で表される情報である。使用機器識別情報は、発信機器に固有の識別情報であり、この使用機器識別情報も情報提供装置１００が取り扱う範囲内でユニークなものである必要があるが、例えば、発信機器のデバイス・アドレスを使用機器識別情報として利用すれば、その特性から自ずとユニークなものとなる。
【００５７】
なお、ここに示した例では、氏名や職業を個人情報に含めるようにしているが、これらは任意に設定できる項目であり、年齢や性別等の任意の情報を任意の数だけ個人情報に含めることができる。
【００５８】
図５は、個人情報の入力や編集を行う際にユーザが利用する個人情報編集画面の一例を示した図である。この個人情報編集画面は、個人情報編集部１１により、図示しないディスプレイ等の表示部に表示されるものである。
【００５９】
図５（ａ）に示すように、個人情報編集画面１１０には、氏名入力欄１１１と職業選択欄１１２、使用機器識別情報選択欄１１３が配されている。氏名入力欄１１１には、ユーザの氏名を直接入力し、職業選択欄１１２と使用機器識別情報選択欄１１３は、図５（ｂ）に示すように、複数の候補の中から職業や使用機器識別情報を選択できるものである。なお、個人情報編集画面は、必ずしもこの形態である必要はなく、個人情報の入力や選択ができるものであれば、どのようなものであってもよい。
【００６０】
図６は、行動履歴情報記憶部１３に記憶される行動履歴情報のデータテーブルの一例を示した図である。同図に示すように、行動履歴情報記憶部１３に記憶される行動履歴情報は、使用機器識別情報と訪問履歴を組にしたものである。
【００６１】
使用機器識別情報は、図４に示した個人情報記憶部１２に記憶される個人情報のものと同じものであり、訪問履歴は、会場識別番号で示される各会場へユーザが訪問したか否かを示すもので、この例では、０が未訪問を、１が訪問済を意味している。
【００６２】
なお、行動履歴情報としては、使用機器識別情報に代えて、ユーザ識別番号を利用するようにしてもよい。
【００６３】
ところで、図４に示した個人情報と、図６に示した行動履歴情報は、一つのデータテーブルとして管理することができる。この場合、データテーブルは、図７に示すようになる。もちろん、両者を一つのデータテーブルで管理する場合には、個人情報記憶部１２と行動履歴情報記憶部１３も統合されたものとなる。
【００６４】
図８は、閲覧対象情報記憶部３２に記憶される閲覧対象情報のデータテーブルの一例を示した図である。同図（ａ）に示すように、閲覧対象情報は、会場識別番号と設置機器識別情報、展示名称、展示企業名、発表責任者、展示内容概要を組にしたものである。
【００６５】
会場識別番号は、受信機器の設置場所である会場を識別するもので、情報提供装置１００が取り扱う範囲内で重複のないユニークなものである。このため、図８（ｂ）に示すように、会場識別番号に代えて会場識別名称を利用することもできる。ただし、会場識別名称を利用する場合には、上述した行動履歴情報記憶部１３に記憶される行動履歴情報を構成する訪問履歴等の他の情報においても、会場識別番号を会場識別名称に変更する必要がある。
【００６６】
設置機器識別情報は、受信機器に固有の識別情報であり、この設置機器識別情報も情報提供装置１００が取り扱う範囲内でユニークなものである必要があるが、例えば、受信機器のデバイス・アドレスを設置機器識別情報として利用すれば、その特性から自ずとユニークなものとなる。
【００６７】
展示名称、展示企業名、発表責任者、展示内容概要は、いずれも文字列であり、任意に設定することができるものである。
【００６８】
図９は、閲覧対象情報の入力や編集を行う際にユーザが利用する閲覧対象情報編集画面の一例を示した図である。この閲覧対象情報編集画面３１０は、閲覧対象情報編集部３１により、図示しないディスプレイ等の表示部に表示されるものである。
【００６９】
同図に示すように、閲覧対象情報編集画面３１０には、会場識別番号選択欄３１１と設置機器識別情報選択欄３１２、展示名称入力欄３１３、展示企業名入力欄３１４、発表責任者入力欄３１５、展示内容概要入力欄３１６が配されている。会場識別番号選択欄３１１と設置機器識別情報選択欄３１２は、それぞれ、会場識別番号と設置機器識別情報を複数の候補から選択するものであり、その選択は、図５（ｂ）に示した個人情報編集画面１１０と同様に行う。展示名称入力欄３１３、展示企業名入力欄３１４、発表責任者入力欄３１５、展示内容概要入力欄３１６は、それぞれ、展示名称、展示企業名、発表責任者、展示内容概要を直接入力する。なお、閲覧対象情報編集画面は、必ずしもこの形態である必要はなく、閲覧対象情報の入力や選択ができるものであれば、どのようなものであってもよい。
【００７０】
次に、行動履歴情報管理部４０の動作を説明する。行動履歴情報管理部４０は、個人識別情報取得部４１と行動履歴情報処理部４２により、行動履歴情報記憶部１３に行動履歴情報を記憶させる処理を行う。図１０は、行動履歴情報管理部４０の動作の流れを示すフローチャートである。
【００７１】
行動履歴情報管理部４０は、処理を開始すると、まず、個人識別情報取得部４１が発信器識別情報を取得するのを待ち（ステップＳ１０でＮＯ）、個人識別情報取得部４１が発信器識別情報を取得すると（ステップＳ１０でＹＥＳ）、この発信器識別情報に基づいて、行動履歴情報処理部４２が、受信した発信器の機器識別情報を格納するとともに（ステップＳ１１）、受信器の機器識別情報を格納する（ステップＳ１２）。なお、情報提供装置１００をプログラムにより構成する場合、機器識別情報を格納する処理は、例えば、発信器の識別情報を変数Ｔに格納し、受信器の識別情報を変数Ｒに格納することで行う。
【００７２】
次に、行動履歴情報処理部４２が、（変数Ｒに）格納した受信器の機器識別情報をキーとして閲覧情報データテーブルを検索し、その検索結果である会場識別情報を格納する（ステップＳ１３）。会場識別情報は、例えば、変数Ｅに格納する。
【００７３】
続いて、行動履歴情報処理部４２が、（変数Ｔに）格納した発信器の機器識別情報と、（変数Ｅに）格納した会場識別情報をキーとして行動履歴情報記憶部１３に記憶されている行動履歴情報を検索し（ステップＳ１４）、その検索結果である対象レコードが０であれば（ステップＳ１５でＹＥＳ）、当該レコードを１に変更し（ステップＳ１６）、処理を終了する。対象結果が既に１であった場合には（ステップＳ１５でＮＯ）、そのまま処理を終了する。
【００７４】
次に、共有情報作成部５０の動作を説明する。図１１は、共有情報作成部５０による共有情報の作成処理の流れを示すフローチャートである。
【００７５】
共有情報作成部５０は、まず、入場情報取得部２０が取得した共有エリアの入場者を取得し、取得した入場者の集合情報を格納する（ステップＳ２０）。この集合情報の格納処理は、情報提供装置１００をプログラムにより構成する場合、例えば、集合変数ｅｎｔｅｒＡに格納する処理となる。図１２は、ステップＳ２０の処理で取得した入場者の集合情報である識別番号の一例を示した図である。ステップＳ２０の処理で取得される識別番号は、図１２（ａ）に示すような機器識別番号であるが、以下では、説明を容易とするために、図１２（ｂ）に示す当該機器識別番号に対応するユーザ識別番号を用いて説明する。なお、実際の処理においても、個人情報記憶部１２で記憶する個人情報を利用することで、機器識別番号に代えてユーザ識別番号を用いることができる。
【００７６】
次に、共有情報作成部５０は、個人情報管理部１０を利用し、ステップＳ２０で取得した集合情報（以下、ｅｎｔｅｒＡと称する）の各要素に対応する行動履歴情報を取得して、全ての会場識別番号に対して訪問者数を集計する（ステップＳ２１）。そして、共有情報作成部５０は、集計結果のうち、訪問者数が１以上のものを対象として、会場識別番号をキーとして関連付けて格納する（例えば、変数ｅｘｈｉｂｉｔｉｏｎＥｎｔｅｒＡに格納）とともに、これを訪問者数の降順で並び替える（ステップＳ２２）。図１３は、図１２（ａ）に示したｅｎｔｅｒＡの各要素に対応する行動履歴情報を取得した場合の一例を示した図である。また、図１４は、ステップＳ２２の処理で、（変数ｅｘｈｉｂｉｔｉｏｎＥｎｔｅｒＡに）格納される集計結果の一例を示した図であり、会場識別番号と、それに対応する訪問者数で構成され、訪問者数の降順によって会場識別番号が並び替えられている状態を示している。
【００７７】
次に、共有情報作成部５０は、閲覧対象情報管理部３０を利用し、ステップＳ２２の処理で格納した情報（以下、ｅｘｈｉｂｉｔｉｏｎＥｎｔｅｒＡと称する）の項目である会場識別番号毎に、閲覧対象情報を取得し、共有情報を作成する（ステップＳ２３）。図１５は、このステップＳ２３の処理によって作成された共有情報の一例を示した図である。同図に示すように、ここでは、会場識別番号毎の訪問数の降順によって並び替えられた会場識別番号の順番により、会場識別番号毎に、対応する展示名称、展示企業名、発表責任者、展示内容概要を記述したデータテーブルが、共有情報として作成される。
【００７８】
ここで、共有情報作成部５０は、共有情報提示部６０からの共有情報リスト項目の再編集要求があれば（ステップＳ２４でＹＥＳ）、ステップＳ２０乃至Ｓ２３の処理を再度実行する。
【００７９】
一方、再編集要求が無ければ（ステップＳ２４でＮＯ）、定期的に、入場情報取得部２０により、共有エリアの入場者を取得し、取得した入場者の集合情報を（例えば、集合変数ｅｎｔｅｒＢとして）格納する（ステップＳ２５）。図１６は、ステップＳ２５の処理で取得した入場者の集合情報である識別番号の一例を示した図である。ステップＳ２５の処理で取得される識別番号は、図１６（ａ）に示すような機器識別番号であるが、上述のステップＳ２０での処理と同様に（図１２参照）、説明を容易とするために、図１６（ｂ）に示す当該機器識別番号に対応するユーザ識別番号を用いて説明する。
【００８０】
ここで、取得した集合情報（以下、ｅｎｔｅｒＢと称する）と、ｅｎｔｅｒＡが同じであれば（ステップＳ２６でＮＯ）、ステップＳ２４の処理に戻る。また、ｅｎｔｅｒＢと、ｅｎｔｅｒＡが異なる場合（ステップＳ２６でＹＥＳ）、ｅｎｔｅｒＡの要素数が１未満であれば（ステップＳ２７でＮＯ）、ステップＳ２０の処理に戻る。なお、ステップＳ２６の処理は、ｅｎｔｅｒＡの要素のいずれかをｅｎｔｅｒＢの全要素と比較し、該当するｅｎｔｅｒＡの要素がｅｎｔｅｒＢに含まれているか否かによって判断する。
【００８１】
また、ｅｎｔｅｒＢとｅｎｔｅｒＡが異なり（ステップＳ２６でＹＥＳ）、ｅｎｔｅｒＡの要素数が１以上であれば（ステップＳ２７でＹＥＳ）、ｅｎｔｅｒＡとｅｎｔｅｒＢの全要素を比較し、ｅｎｔｅｒＡの要素の中で、ｅｎｔｅｒＢが含まない要素を削除する（ステップＳ２８）。図１７は、ステップＳ２８の処理の過程を説明するための図である。同図に示すように、ユーザ識別番号として、４、３、５、２という集合情報をもつｅｎｔｅｒＡと、ユーザ識別番号として１、５、３という集合情報をもつｅｎｔｅｒＢを比較し、最終的に、ユーザ識別番号として３、５という集合情報をもつｅｎｔｅｒＡが作成される。
【００８２】
次に、共有情報作成部５０は、個人情報管理部１０を利用し、ｅｘｈｉｂｉｔｉｏｎＥｎｔｅｒＡの項目である会場識別番号毎に、ｅｎｔｅｒＡの集合要素を対象に訪問者数を再集計し、その結果をｅｘｈｉｂｉｔｉｏｎＥｎｔｅｒＡの会場識別番号に関連づけて格納する。このとき、結果の値が０となる会場識別番号は、ｅｘｈｉｂｉｔｉｏｎＥｎｔｅｒＡから削除する（ステップＳ２９）。図１８は、ステップＳ２９の処理で作成されたｅｘｈｉｂｉｔｉｏｎＥｎｔｅｒＡの一例を示した図である。同図に示すように、図１４で示した会場識別番号の、６、２、７は、ｅｎｔｅｒＡを元に再集計した訪問者数が０であるため、図１８のｅｘｈｉｂｉｔｉｏｎＥｎｔｅｒＡからは削除されている。
【００８３】
続いて、共有情報作成部５０は、個人情報管理部１０を利用し、ｅｎｔｅｒＢの集合要素を対象に、全ての会場識別番号の訪問者数を集計し（ステップＳ３０）、その集計結果を、訪問者数が1以上のものを対象として、会場識別番号に関連づけて（例えば、ｅｘｈｉｂｉｔｉｏｎＥｎｔｅｒＢとして）格納する（ステップＳ３１）。図１９は、ステップＳ３１の処理によって格納されたｅｘｈｉｂｉｔｉｏｎＥｎｔｅｒＢの一例を示した図である。
【００８４】
次に、共有情報作成部５０は、ｅｘｈｉｂｉｔｉｏｎＥｎｔｅｒＡと、ステップＳ３１の処理で格納された情報（以下、ｅｘｈｉｂｉｔｉｏｎＥｎｔｅｒＢと称する）の全項目を比較し、ｅｘｈｉｂｉｔｉｏｎＥｎｔｅｒＢの要素の中で、ｅｘｈｉｂｉｔｉｏｎＥｎｔｅｒＡが含まない要素をｅｘｈｉｂｉｔｉｏｎＥｎｔｅｒＡに追加し（ステップＳ３２）、ｅｘｂｉｂｉｔｉｏｎＥｎｔｅｒＡの項目である会場識別番号ごとに関連づけられた訪問者数の値をｅｘｈｉｂｉｔｉｏｎＥｎｔｅｒＢの項目に関連づけられた値に修正する（ステップＳ３３）。図２０は、ステップＳ３２およびステップＳ３３で処理されたｅｘｈｉｂｉｔｉｏｎＥｎｔｅｒＡの一例を示した図である。同図に示すように、処理されたｅｘｈｉｂｉｔｉｏｎＥｎｔｅｒＡは、図１８で示す会場識別番号に、図１９で示す会場識別番号のうち、図１８の会場識別番号のリストにはない、２、７が追加され、訪問者数の値が、図１９で示したｅｘｈｉｂｉｔｉｏｎＥｎｔｅｒＢの値によって修正されている。
【００８５】
次に、共有情報作成部５０は、閲覧対象情報管理部３０を利用し、ｅｘｈｉｂｉｔｉｏｎＥｎｔｅｒＡの項目である会場識別番号毎に、閲覧対象情報を取得し、共有情報を作成する（ステップＳ３４）。図２１は、このステップＳ３４の処理によって作成された共有情報の一例を示した図である。なお、共有情報作成部５０は、ステップＳ３４の処理を実行した後は、ステップＳ２４に戻る。
【００８６】
次に、共有情報提示部６０による共有情報の提示について説明する。図２２は、共有情報提示部６０により提示される共有情報の表示画面の例を示した図である。なお、共有情報表示画面６２０は、共有情報表示部６２が、提示情報制御部６１によって制御された共有情報を図示しないディスプレイ等の表示部に表示するものである。
【００８７】
同図に示すように、共有情報表示画面６２０には、共有情報リスト提示部６２１と、詳細情報提示部６２２が配されている。共有情報リスト提示部６２１は、共有情報作成部５０で作成した共有情報をもとに、リスト形式で共有情報リスト項目６２３（６２３−１〜６２３−７）を表示する。ここでは、共有情報リスト項目の一例として、会場識別番号を表示しているが、会場識別番号とともに展示名称が表示されていても構わない。また、会場識別番号毎の訪問者数を利用し、訪問数によって、表示色を変えたり、段階的に強調表示をしたりしても構わない。
【００８８】
詳細情報提示部６２２は、共有情報制御部６１によって提示制御される共有情報リストのいずれかの詳細情報を提示する。ここでは、一例として展示番号、展示名称、展示企業名、責任者名、展示内容概要で示す、展示詳細情報を提示している。
【００８９】
また、ここでは共有情報制御部６１によって提示制御される共有情報リスト項目６２３のうち、いずれの詳細情報が詳細情報提示部６２２に表示されているかを、共有情報リスト項目６２３−２のように他とは異なる色で表示することで表している。
【００９０】
提示情報制御部６１は、共有情報作成５０が作成した共有情報のリストの中から、ある時間幅で定期的に順に抽出し、抽出した会場識別番号と、当該会場識別番号に対応する展示名称、展示企業名、責任者名、展示内容概要などの詳細情報を、共有情報提示部６０よって提示し、全てのリストを抽出し終えると、共有情報作成部５０に対して、共有情報の再編集要求をするとともに、共有情報作成部５０によって作成された共有情報をもとに、再度、先頭から順に表示する提示制御を行う。
【００９１】
このような構成により、情報提供装置１００は、既に共有エリアに入場して対話しているユーザ間の対話対象情報を不本意に変えることなく適切な順序で提示するとともに、新たに入場するユーザの対話対象情報をも考慮した共有情報の提示を行うことができる。
【００９２】
例えば、図２３に示すような状態で、本発明を適用せずに共有エリアに入場している入場者情報を元に対話対象情報を作成した場合は、図２４に示す様に、対話対象情報の提示順序は、４、５、１、２、３、７という結果になるのに対し、本発明を適用して共有エリアに入場している入場者情報を元に対話対象情報を作成した場合は、図２５に示すように、対話対象情報の提示順序は、４、５、１、３、２、７という結果になる。
【００９３】
この両者は、提示した対話対象情報に関する話題を誰が提供可能なのかという点で全く異なる。まず、図２３（ａ）の状態からＢとＤが共有エリアから退場し、Ａが共有エリアに入場したとしても、ＣとＥは、Ａが入場する以前から居るため、ＣとＥの間には、互いの対話対象情報を元にした対話空間が形成されていると考えられる。しかし、図２４に示した状態では、後から共有エリアに入場するＡに関連する対話対象情報と、既に共有エリアに居るＥに関連する対話対象情報の提示順序が交互に提示されてしまうことで、ＣとＥとの間で形成される対話空間を邪魔してしまう。
【００９４】
これに対し、図２５に示した状態では、後から共有エリアに入場するＡにのみ関連する対話対象情報は、既に共有エリアに居るＣとＥの対話対象情報の最後尾に付加して提示する事になるため、ＣとＥとの間で形成される対話空間を邪魔することなく、対話支援を実現することが可能となるのである。
【００９５】
最後に、情報提供装置１００の具体的な構成例を説明する。図２６は、共有情報提示システムの装置構成を示した図である。
【００９６】
同図に示すように、共有情報提示システムは、ユーザ情報管理装置７１０、受信情報管理装置７２０、７２１、７２２、表示情報管理装置７３０および当該装置に接続された情報表示装置７５０、機器識別情報を発信する発信装置７６０、７６１、７６２、７６３およびそれらの機器識別番号を受信する受信装置７４０、７４１、７４２、７４３によって構成され、ユーザ情報管理装置７１０、受信情報管理装置７２０、７２１、７２２、表示情報管理装置７３０は通信ネットワークに接続され、受信情報管理装置７２０、７２１、７２２および表示情報管理装置７３０には、受信装置７４０、７４１、７４２、７４３が、それぞれ接続されている。
【００９７】
ただし、受信情報管理装置および受信装置、発信装置の台数はこれらに限定するものではなく、例えば、展示会場の全ブースの数だけ受信装置や受信情報管理装置を用意してもよく、また、ユーザの数だけ発信装置を用意した構成にしても構わない。
【００９８】
これらの装置を図３に示した構成に対応させると、個人識別情報取得部４１は、発信装置７６０、７６１、７６２、７６３および受信装置７４０、７４１、７４２、７４３および受信情報管理装置７２０、７２１、７２２に対応し、行動履歴情報処理部４２は、受信情報管理装置７２０、７２１、７２２に対応し、個人情報管理部１０および閲覧対象情報管理部３０は個人情報管理装置７１０に対応する。そして、入場情報取得部２０および共有情報作成部５０、提示情報制御部６１、共有情報表示部６２は、表示情報管理装置７３０に対応する。
【実施例２】
【００９９】
実施例２における情報提供装置は、記録媒体等に記録された音楽を再生する音楽再生装置とともに用いるもので、その音楽再生装置に演奏順等の制御情報を提供するものである。このような用途に用いる情報提供装置は、実施例１の情報提供装置と同様の構成ものもと、これを簡易にしたものとがあり、実施例２では、その両者について説明する。
【０１００】
まず、実施例１の情報提供装置と同様の構成の情報提供装置については、図３を参照して、その機能が異なる部分を説明する。
【０１０１】
情報提供装置１００と同様の構成で音楽再生装置を制御する場合には、個人情報管理部１０に相当する部位は、ユーザの個人情報として、ユーザの楽曲に対する嗜好、例えば、好みのジャンルやアーティスト等の嗜好情報を管理する。このため、個人情報編集部１１に相当する部位は、ユーザの嗜好情報を入力および編集し、個人情報記憶部１２に相当する部位は、その結果を記憶する。
【０１０２】
閲覧対象情報管理部３０に相当する部位は、閲覧対象の情報に代えて再生が可能な演奏対象情報を管理する。このため、閲覧対象情報編集部３１に相当する部位は、音楽再生装置が再生可能な楽曲の情報を入力および編集し、閲覧対象情報記憶部３２に相当する部位は、その結果を記憶する。
【０１０３】
行動履歴情報管理部４０に相当する部位は、行動履歴に代えてユーザの嗜好に合致した楽曲のリストを作成する。このため、行動履歴情報処理部４２に相当する部位は、閲覧対象情報記憶部３２に相当する部位に記憶されている再生可能な楽曲の情報と、個人情報記憶部１２に相当する部位に記憶されている嗜好情報とに基づいて、ユーザの嗜好に合致した楽曲のリストを作成する。作成された楽曲のリストは、個人情報管理部１０に相当する部位の行動履歴情報記憶部１３に相当する部位に記憶される。
【０１０４】
また、共有情報提示部６０に相当する部位は、音楽再生装置における楽曲の再生を制御する。このため、提示情報制御部６１に相当する部位は、再生する楽曲の順番を制御し、共有情報表示部６２に相当する構成は、音楽再生装置に再生すべき楽曲の情報を通知する処理を行う。
【０１０５】
なお、この構成においては、共有情報作成部５０に相当する構成は、実施例１の場合に共有エリアにおける共有情報を作成する処理と同様の処理で、音楽再生装置における楽曲の再生情報、つまり、複数のユーザに共通の楽曲リストを作成する。
【０１０６】
次に、簡易な構成の情報提供装置について説明する。図２７は、音楽再生装置を制御する情報提供装置の構成を示すブロック図である。
【０１０７】
同図に示すように、情報提供装置８００は、嗜好情報管理部８１０と入場情報取得部８２０、楽曲情報管理部８３０、楽曲リスト管理部８４０、演奏情報作成部８５０、演奏制御部８６０を具備して構成される。なお、嗜好情報管理部８１０、入場情報取得部８２０、楽曲情報管理部８３０、楽曲リスト管理部８４０、演奏情報作成部８５０、演奏制御部８６０は、それぞれ、図１に示した情報提供装置の個人情報管理部１、集合情報取得部２、対象情報管理部３、履歴情報管理部４、共有情報作成部５、共有情報提供部６に相当するものである。
【０１０８】
嗜好情報管理部８１０は、ユーザの個人情報として、ユーザの楽曲に対する嗜好、例えば、好みのジャンルやアーティスト等の嗜好情報を管理するもので、嗜好情報編集部８１１と嗜好情報記憶部８１２、演奏リスト記憶部８１３を具備して構成される。嗜好情報編集部８１１は、ユーザの嗜好情報を入力および編集し、嗜好情報記憶部８１２は、その結果である嗜好情報を記憶する。演奏リスト記憶部８１３は、演奏リスト管理部８４０で作成される演奏リストを記憶する。
【０１０９】
入場情報取得部８２０は、ユーザの音楽鑑賞エリア（音楽再生装置の近傍）への入場者集合情報を取得するもので、退出判定処理部８２２を具備して構成される。この情報提供装置８００は、ユーザに対して発信装置等を所持させることを要しないため、ユーザの入場の判定は、嗜好情報編集部８１１への嗜好情報の入力に基づいて行い、ユーザの退場の判定は、退出判定処理部８２２により行う。退出判定処理部８２２は、嗜好情報編集部８１１への嗜好情報の入力から一定時間が経過したユーザを退出したものとみなす処理を行う。
【０１１０】
楽曲情報管理部８３０は、音楽再生装置で再生が可能な楽曲の情報を管理するもので、楽曲情報編集部８３１と楽曲情報記憶部８３２を具備して構成される。楽曲情報編集部８３１は、音楽再生装置が再生可能な楽曲の情報を入力および編集し、楽曲情報記憶部８３２は、その結果を記憶する。
【０１１１】
演奏リスト管理部８４０は、ユーザの嗜好に合致した楽曲のリストを作成するもので、演奏リスト作成部８４２を具備して構成される。演奏リスト作成部８４２は、楽曲情報記憶部８３２に記憶されている音楽再生装置が再生可能な楽曲の情報と、嗜好情報記憶部８１２に記憶されているユーザの嗜好情報とに基づいて、ユーザの嗜好に合致した楽曲のリストを作成する。
【０１１２】
演奏情報作成部８５０は、音楽再生装置における楽曲の演奏情報を作成するもので、演奏情報記憶部８５１を具備して構成される。演奏情報記憶部８５１は、演奏リスト記憶部８１３に記憶されている演奏リストと入場情報取得部８２０により取得される入場法情報に基づいて、演奏情報を作成し、これを記憶する。
【０１１３】
演奏制御部８６０は、演奏情報作成部８５０が作成した演奏情報に基づいて音楽再生装置を制御するもので、演奏順序制御部８６１と再生装置制御部８６２を具備して構成される。演奏順序制御部８６１は、演奏情報記憶部８５１記憶された演奏情報に従って、楽曲の演奏順を決定し、再生装置制御部８６２は、演奏順序制御部８６１が決定した楽曲の演奏順に従って、音楽再生装置を制御する。
【０１１４】
なお、情報提供装置８００は、汎用のコンピュータと、これを動作させるプログラムの組み合わせにより構成することもできる。
【０１１５】
この情報提供装置８００は、楽曲の演奏順を決定するための演奏情報、実施例１の情報提供装置１００の共有情報の作成と同様の処理で作成する。つまり、ユーザの行動履歴に代えてユーザ毎の演奏リストに基づいて、演奏情報を作成する。このため、演奏情報の作成処理の詳細についての説明は、省略する。
【０１１６】
また、情報提供装置８００においては、演奏リスト作成部８４２に対し、ユーザが直接演奏リストを入力するようにすることもでき、この場合には、嗜好情報編集部８１１と嗜好情報記憶部８１２とを省略することができる。
【０１１７】
なお、ここでは、対話の支援を行う場合と音楽の提供を行う場合を例として、本発明を説明したが、本発明は、複数の情報を被提供者に応じて選択して提供する場合、例えば、公共の場におけるニュースの提供等に利用することも可能である。
【図面の簡単な説明】
【０１１８】
【図１】本発明を適用した情報提供装置の基本的な構成を示すブロック図である。
【図２】本発明を対話の支援に利用した場合の対話空間の変遷を説明するための図である。
【図３】実施例１における情報提供装置の構成を示すブロック図である。
【図４】個人情報記憶部１２に記憶される個人情報のデータテーブルの一例を示した図である。
【図５】個人情報の入力や編集を行う際にユーザが利用する個人情報編集画面の一例を示した図である。
【図６】行動履歴情報記憶部１３に記憶される行動履歴情報のデータテーブルの一例を示した図である。
【図７】個人情報と行動履歴情報を一つのデータテーブルとして管理する場合のデータテーブルの一例を示した図である。
【図８】閲覧対象情報記憶部３２に記憶される閲覧対象情報のデータテーブルの一例を示した図である。
【図９】閲覧対象情報の入力や編集を行う際にユーザが利用する閲覧対象情報編集画面の一例を示した図である。
【図１０】行動履歴情報管理部４０の動作の流れを示すフローチャートである。
【図１１】共有情報作成部５０による共有情報の作成処理の流れを示すフローチャートである。
【図１２】ステップＳ２０の処理で取得した入場者の集合情報である識別番号の一例を示した図である。
【図１３】図１２（ａ）に示したｅｎｔｅｒＡの各要素に対応する行動履歴情報を取得した場合の一例を示した図である。
【図１４】ステップＳ２２の処理で、（変数ｅｘｈｉｂｉｔｉｏｎＥｎｔｅｒＡに）格納される集計結果の一例を示した図である。
【図１５】ステップＳ２３の処理によって作成された共有情報の一例を示した図である。
【図１６】ステップＳ２５の処理で取得した入場者の集合情報である識別番号の一例を示した図である。
【図１７】ステップＳ２８の処理の過程を説明するための図である。
【図１８】ステップＳ２９の処理で作成されたｅｘｈｉｂｉｔｉｏｎＥｎｔｅｒＡの一例を示した図である。
【図１９】ステップＳ３１の処理によって格納されたｅｘｈｉｂｉｔｉｏｎＥｎｔｅｒＢの一例を示した図である。
【図２０】ステップＳ３２およびステップＳ３３で処理されたｅｘｈｉｂｉｔｉｏｎＥｎｔｅｒＡの一例を示した図である。
【図２１】ステップＳ３４の処理によって作成された共有情報の一例を示した図である。
【図２２】共有情報提示部６０により提示される共有情報の表示画面の例を示した図である。
【図２３】対話対象情報の提示順序を説明するための図（１）である。
【図２４】対話対象情報の提示順序を説明するための図（２）である。
【図２５】対話対象情報の提示順序を説明するための図（３）である。
【図２６】共有情報提示システムの装置構成を示した図である。
【図２７】音楽再生装置を制御する情報提供装置の構成を示すブロック図である。
【図２８】従来の対話支援装置等による対話空間の変遷を説明するための図である。
【符号の説明】
【０１１９】
１    個人情報管理部
２    集合情報取得部
３    対象情報管理部
４    履歴情報管理部
５    共有情報作成部
６    共有情報提供部
１０    個人情報管理部
１１    個人情報編集部
１２    個人情報記憶部
１３    行動履歴情報記憶部
２０    入場情報取得部
２１    個人識別情報取得部
３０    閲覧対象情報管理部
３１    閲覧対象情報編集部
３２    閲覧対象情報記憶部
４０    行動履歴情報管理部
４１    個人識別情報取得部
４２    行動履歴情報処理部
５０    共有情報作成部
５１    共有情報記憶部
６０    共有情報提示部
６１    提示情報制御部
６２    共有情報表示部
１００    情報提供装置
１１０    個人情報編集画面
１１１    氏名入力欄
１１２    職業選択欄
１１３    使用機器識別情報選択欄
３１０    閲覧対象情報編集画面
３１１    会場識別番号選択欄
３１２    設置機器識別情報選択欄
３１３    展示名称入力欄
３１４    展示企業名入力欄
３１５    発表責任者入力欄
３１６    展示内容概要入力欄
６２０    共有情報表示画面
６２１    共有情報リスト提示部
６２２    詳細情報提示部
６２３−１〜６２３−７    共有情報リスト項目
７１０    ユーザ情報管理装置
７２０    受信情報管理装置
７２１    受信情報管理装置
７２２    受信情報管理装置
７３０    表示情報管理装置
７４０    受信装置
７４１    受信装置
７４２    受信装置
７４３    受信装置
７５０    情報表示装置７５０
７６０    発信装置
７６１    発信装置
７６２    発信装置
７６３    発信装置
８００    情報提供装置
８１０    嗜好情報管理部
８１１    嗜好情報編集部
８１２    嗜好情報記憶部
８１３    演奏リスト記憶部
８２０    入場情報取得部
８２２    退出判定処理部
８３０    楽曲情報管理部
８３１    楽曲情報編集部
８３２    楽曲情報記憶部
８４０    演奏リスト管理部
８４２    演奏リスト作成部
８５０    演奏情報作成部
８５１    演奏情報記憶部
８６０    演奏制御部
８６１    演奏順序制御部
８６２    再生装置制御部
【図１】
2005056313.tif 000003
【図２】
2005056313.tif 000004
【図３】
2005056313.tif 000005
【図４】
2005056313.tif 000006
【図５】
2005056313.tif 000007
【図６】
2005056313.tif 000008
【図７】
2005056313.tif 000009
【図８】
2005056313.tif 000010
【図９】
2005056313.tif 000011
【図１０】
2005056313.tif 000012
【図１１】
2005056313.tif 000013
【図１２】
2005056313.tif 000014
【図１３】
2005056313.tif 000015
【図１４】
2005056313.tif 000016
【図１５】
2005056313.tif 000017
【図１６】
2005056313.tif 000018
【図１７】
2005056313.tif 000019
【図１８】
2005056313.tif 000020
【図１９】
2005056313.tif 000021
【図２０】
2005056313.tif 000022
【図２１】
2005056313.tif 000023
【図２２】
2005056313.tif 000024
【図２３】
2005056313.tif 000025
【図２４】
2005056313.tif 000026
【図２５】
2005056313.tif 000027
【図２６】
2005056313.tif 000028
【図２７】
2005056313.tif 000029
【図２８】
2005056313.tif 000030